(57)【要約】      （修正有）【課題】接着剤を使用することなく、安価で十分な強度を有するロール製品用ケースを提供する。【解決手段】少なくともロール製品の周面を覆う外装箱２と、前記外装箱２の両端面に配置される補強板３からなり、前記補強板３にはロール製品の芯材を受けるためのＵ字状の切り欠きである支持部３ａが形成されており、前記補強板３は補強板原紙を縦方向及び横方向にそれぞれ一回以上折り畳んでなることを特徴とするロール製品用ケースである。【選択図】図１
2016124561.tif 000002
【特許請求の範囲】
【請求項１】
ロール製品の端面から突出した芯材を支持してロール製品を宙吊り状態で保持するロール製品用ケースであって、
少なくともロール製品の周面を覆う外装箱と、前記外装箱の両端面に配置される補強板からなり、
前記補強板にはロール製品の芯材を受けるためのＵ字状の切り欠きである支持部が形成されており、
前記補強板は補強板原紙を縦方向及び横方向にそれぞれ一回以上折り畳んでなることを特徴とするロール製品用ケース。
【請求項２】
補強板は補強板原紙をまず横方向に折り畳んでから縦方向に折り畳んでなり、
縦方向に折った折り線が補強板の上辺になるように構成され、
補強板の下辺に窪みが設けられるとともに、
外装箱には前記補強板の窪みと係合する突出部が設けられることを特徴とする請求項１に記載のロール製品用ケース。
【請求項３】
さらに保持片を有し、前記保持片には芯材の端部を上から押えるための下向きＵ字状の切り欠きである押え部が設けられていることを特徴とする請求項１又は２に記載のロール製品用ケース。
【請求項４】
保持片は前記押え部が設けられた内面板と、芯材の端部を端面方向から押える外面板と、これらの間に介設された上面板とが連設されてなり、
前記保持片は下向きコ字状に折り曲げられて前記補強板に覆設されることを特徴とする請求項１乃至３のいずれかに記載のロール製品用ケース。
【発明の詳細な説明】
【技術分野】
【０００１】
本発明は、フィルム等の長尺物を芯材に巻回してなるロール製品を輸送、保管するためのロール製品用ケースに関し、更に詳しくは、接着剤を使用することなく、シート状の部材を折り畳んで厚くして芯材を支持するための支持部材とすることにより、作業性が良好で、安価で十分な強度を有するロール製品用ケースに関する。
【背景技術】
【０００２】
従来より、プラスチックフィルム、プラスチックシート、紙等の長尺物を保護、輸送、保管する場合には、これらの長尺物を芯材に巻回してロール製品を形成し、長尺物の端面及び周面が汚れたり損傷したりするのを防止するため、該ロール製品の端面の両側にいわゆるプロテクターや芯材受け部材等を装着した上でケースに収納して輸送、保管されていた。これらプロテクター、芯材受け、ケース等の材質はロール製品の重量を支えるため、必要な強度と軽量性を兼ね備えた木製や合成樹脂製のものを使用することが多い。
【０００３】
しかしながら、木製や合成樹脂製のケース等はロール製品を取り出した後に、不要になったケース等を返送、廃棄等するのが面倒という問題がある。また、木製のものは近年適当な木材が手に入りにくくなっており、値段が上昇しつつある。そこで、近年は、廃棄や折り畳みが容易で、安価な紙製のものも使用されている（例えば特許文献１参照）。
【先行技術文献】
【特許文献】
【０００４】
【特許文献１】特開２００２−８００８７号公報
【発明の概要】
【発明が解決しようとする課題】
【０００５】
ところで、紙は木や合成樹脂と比較して強度に劣る場合が多いため、ロール製品の重量がかかる部分、特に芯材受けの部分に工夫が必要となる。この点については、特許文献１では、芯材受け（内部支持板）を紙管原紙で構成することにより十分な強度を確保している。
しかしながら、紙管原紙は高価なため、コストアップになるという欠点がある。通常の段ボールを数枚貼り合わせて芯材受けを作成すれば、原料コストは抑えられるが、貼り合わせのための接着剤が必要になり、有機系接着剤を使用する場合には作業環境を悪化させるばかりでなく、貼り合わせの手間が煩雑で作業性が悪く人件費がかかるため、結局コストダウンは困難である。
【０００６】
本発明はかかる実情に鑑み、上記従来技術の問題点を解消し、簡単な構造からなり、作業性が良好で、安価で十分な強度を有するロール製品用ケースを提供することを目的とする。
【課題を解決するための手段】
【０００７】
本発明は上記目的を達成するためになされたもので、本発明の特徴は、ロール製品の端面から突出した芯材を支持してロール製品を宙吊り状態で保持するロール製品用ケースであって、少なくともロール製品の周面を覆う外装箱と、前記外装箱の両端面に配置される補強板からなり、前記補強板にはロール製品の芯材を受けるためのＵ字状の切り欠きである支持部が形成されており、前記補強板は補強板原紙を縦方向及び横方向にそれぞれ一回以上折り畳んでなるロール製品用ケースである。
【０００８】
本発明の更に他の特徴は、前記補強板は補強板原紙をまず横方向に折り畳んでから縦方向に折り畳んでなり、縦方向に折った折り線が補強板の上辺になるように構成され、補強板の下辺に窪みが設けられるとともに、外装箱には前記補強板の窪みと係合する突出部が設けられる上記のロール製品用ケースである。
【０００９】
本発明の更に他の特徴は、さらに保持片を有し、前記保持片には芯材の端部を上から押えるための下向きＵ字状の切り欠きである押え部が設けられている上記のロール製品用ケースである。
【００１０】
本発明の更に他の特徴は、前記保持片は前記押え部が設けられた内面板と、芯材の端部を端面方向から押える外面板と、これらの間に介設された上面板とが連設されてなり、前記保持片は下向きコ字状に折り曲げられて前記補強板に覆設される上記のロール製品用ケースである。
【発明の効果】
【００１１】
本発明のロール製品用ケースは、外装箱の両端面に配置される補強板が、接着剤を使用することなく、補強板原紙を縦方向及び横方向にそれぞれ一回以上折り畳んでなるので、安価で十分な強度を有し、しかも組み立てに手間がかからず、作業性に優れている。
また、補強板原紙をまず横方向に折り畳んでから縦方向に折り畳んで補強板を形成し、縦方向に折った折り線が補強板の上辺になるようにし、補強板の下辺に窪みを設けるとともに、外装箱に前記窪みと係合する突出部を設ければ、補強板を糊付けしないにも関わらず、不意に補強板が広がったりしない。
また、押え部を有する保持片を有する場合は、運搬時にケース内のロール製品が跳ねたり揺動することがなく、従ってロール製品が傷つきにくく、また補強板も損傷しにくいので、耐久性に優れたロール製品用ケースを提供することができる。
また、内面板と外面板と上面版からなる下向きコ字状の保持片を前記補強板に覆設すれば、縦方向及び横方向（軸方向）の両方向の揺動を抑制でき、ロール製品を安定的に輸送したり、保管することができる。
【図面の簡単な説明】
【００１２】
【図１】図１は本発明のロール製品用ケースの一例を示す分解斜視図である。
【図２】図２は図１のロール製品用ケースを組み立てた状態を示す斜視図である。
【図３】図３は図１のロール製品用ケースで使用する外装箱のうちトレイ及び蓋を展開した状態を示す展開図である。
【図４】図４は図１のロール製品用ケースで使用する外装箱のうち底板を示す平面図である。
【図５】図５は図１のロール製品用ケースで使用する外装箱のうち側板を展開した状態を示す展開図である。
【図６】図６は図１のロール製品用ケースで使用する補強板を作成するための補強板原紙を示す平面図である。
【図７】図７は図１のロール製品用ケースで使用する保持片を展開した状態を示す平面図である。
【発明を実施するための形態】
【００１３】
本発明のロール製品用ケース１は、ロール製品の端面から突出した芯材を支持してロール製品を宙吊り状態で保持するものであり、図１に分解斜視図を示すように、少なくともロール製品の周面を覆う外装箱２と、前記外装箱２の両端面に配置される補強板３からなり、前記補強板３にはロール製品の芯材を受けるためのＵ字状の切り欠きである支持部３ａが形成されており、前記補強板３は補強板原紙３０を縦方向及び横方向にそれぞれ一回以上折り畳んでなることを特徴とする。なお、図１に分解斜視図を示したロール製品用ケースを組み立てると図２に示した形状になる。
【００１４】
本発明のロール製品用ケース１は、図１に示すように、少なくとも外装箱２と補強板３からなる。
本発明における外装箱２はロール製品の少なくとも周面、好ましくは周面と端面を覆う箱状部材であり、後述の補強板３に支持されたロール製品を収納できるものであればどのようなものでも使用できる。
例えば、図１に示す実施例で使用されている外装箱２は、図３に展開図を示すトレイ２ａ及び蓋２ｄ、図４に示す底板２ｂ、図５に展開図を示す側板２ｃからなり、該外装箱２の端面に補強板３を収容可能に形成されている。
【００１５】
図１に示す実施例で使用されるトレイ２ａは、外装箱２の最下部に載置される部材であり、シート状部材を図３に示すような形状に切り抜いて破線に沿って平面部の周囲に側面部が立設された形状に組み立てることにより得ることができる。図示しないが、持ち運びを容易にするための取っ手（把持部）を側面部に設けたり、地面に置かれたケースを持ち上げ易くするための脚部を平面部裏面に取り付けてもよい。
【００１６】
図１に示す実施例において、上記トレイ２ａの平面部の上には、図４に示すような底板２ｂが配置される。この底板２ｂの長辺側には片側２カ所づつ計４カ所の低い突出部２ｂ１が設けられており、短辺側には片側１カ所づつ計２カ所の２段になった突出部２ｂ１が設けられている。詳しくは後述するが、これらの突出部２ｂ１は、側板２ｃ（図５）、補強板３（図６）、保持片４（図７）の下端にそれぞれ設けられた窪み（図５の符号２ｃ４、図６の３ｃ、図７の４ａ２、４ｂ１で示す。）と係合するように構成されている。
【００１７】
トレイ２ａの上に底板２ｂを設置した後、図５に示すような側板２ｃが設置される。この側板は図１に示すように２枚で一組であり、Ｌ字状又は一辺が極端に長いコ字状に折り曲げて互いに向き合わせ、必要に応じて貼り合わせシロ２ｃ３で貼り合わせてから、トレイ２ａのなかに配置される。
図５に示すように、側板２ｃの下端には、長辺２ｃ１側に２カ所、短辺２ｃ２側に１ヶ所の窪み２ｃ４が設けられている。この窪み２ｃ４は、側板２ｃがトレイ２ａに配置された際に、当該トレイ２ａに予め配置された底板２ｂの突出部２ｂ１と係合する部分である。詳しくは、側板２ｃの長辺２ｃ１側に設けられた窪み２ｃ４は底板２ｂの長辺側に設けられた突出部２ｂ１と係合し、側板の短辺２ｃ２側に設けられた窪み２ｃ４は底板２ｂの短辺側に設けられた突出部２ｂ１の細い部分と係合する。このように突出部２ｂ１と窪み２ｃ４が係合することにより、側板２ｃはトレイ２ａの上に定置される。
なお、図１及び図５に示した例において、側板２ｃの短辺２ｃ２側には、Ｕ字状の切り欠きからなるシャフト導路２ｃ５が設けられている。このシャフト導路２ｃ５は、ロール製品をケース１内に導入する際に、ロール製品を持ち上げるためのシャフトが通る道である。なお、ロール製品は、まず芯材の中にシャフトを通し、このシャフトを把持してクレーン等を用いて持ち上げ、外装箱２内にロール製品を挿入してからシャフトを芯材から引き抜くことにより容器に収容される。ロール製品をケース１から取り出す場合には、上記とは逆に、ロール製品の芯材にシャフトを挿入してクレーン等で持ち上げ所定の場所まで運び、そこでシャフトが引き抜かれる。
【００１８】
前記側板２ｃの上には、蓋２ｄが覆設される。蓋２ｄの形状は外装箱２の上面を塞ぐことができる限り特に限定されないが、蓋２ｄの形状をトレイ２ａと同じにすれば、部品点数が減り、管理や組み立てが容易になる。
【００１９】
以上、外装箱２の一例について詳細に説明したが、本発明で使用できる外装箱２はこれに限られず、ロール製品の少なくとも周面を覆い、後述の補強板３を端面側に配置できるものであればどのようなものでも使用できる。
【００２０】
前記の外装箱２の両端面には補強板３が配置される。
図１に示すように、補強板３にはＵ字状の切り欠きが設けられ、この切り欠きがロール製品の芯材を受けるための支持部３ａとされる。
本発明の特徴は、この補強板３が図６に例示するような補強板原紙３０を、縦方向及び横方向にそれぞれ一回以上折り畳んで形成されていることにある。一般に、段ボール等の厚紙を用いて補強板３のような強度を有する構造を作成する場合は、同じ形状に切断した厚紙に接着剤を塗布してからずれないように丁寧に重ね合わせて貼り合わせる工程が必要であるが、本発明によれば、この接着剤を塗布する工程、およびずれないように丁寧に貼り合わせる工程が不要なので、安価かつ短時間で本発明の補強板３を形成することができる。
【００２１】
本発明における補強板原紙３０は、図６に示すように、補強板３と同じ平面形状を有する区画３３がＮ（但しＮは２以上の自然数。図６においては３）×Ｍ（但しＭは２以上の自然数。図６においては２）個、折り線３１を介して連なった形状であり、横にＮ等分折り、縦にＭ等分折りすることにより、補強板３を形成することができる。
Ｎ及びＭの上限については、使用する紙によっても異なるため特に限定されないが、あまり数が多いと、分厚くなりすぎて折ることができなくなる。例えば強化段ボールを使用する場合には４が限界である。
【００２２】
本発明で用いる補強板原紙３０において、各区画３３の間は折り線３１で区切られる。折り線３１の構造については特に限定されず、厚紙を使った一般的な製品（例えば段ボール箱など）において用いられている折り線の構造が全て好適に用いられている。特に、本発明においては、図６に示されるように、各区画３３の境界に折り癖をつけ、折り癖に直行する切れ目３２を２本入れて、切れ目３２の端部をつなぐようにさらに折り癖をつけるようにして設けられた折り線３１が好ましい。このような折り線３１では既に一度以上折り重ねられて厚くなった原紙を更に折り畳むのが容易になる。
【００２３】
上述の通り、本発明における補強板原紙３０は縦方向及び横方向に少なくとも一回以上折り畳まれて補強板３となるが、図１及び図６に示したように、外装箱２に配置する際に下になる部分に窪み３ｃを設けるとともに、補強板原紙３０をまず横方向折り線３１ｈに沿って横方向に折り畳んでから縦方向折り線３１ｖに沿って縦方向に折り畳み、縦方向に折った際の折り線３１ｖが補強板の上辺になるように構成するのが好ましい。この場合、縦方向の区画の数Ｍを２とすれば更に好ましい。
即ち、上述の通り、図１に示した例では、トレイ２ａの上には底板２ｂが配置され、この底板２ｂの短辺側（端面側）には突出部２ｂ１が設けられているとともに、この突出部２ｂ１と補強板３の下辺の窪み２ｃ４（図５）、３ｃ（図６）、４ａ２、４ｂ１（図７）とがそれぞれ係合するように構成されているが、縦方向に折った折り線３１ｖが上辺になるようにすれば、この折り線３１ｖにより補強板３の上辺側がまとめられ、且つ補強板３の下辺側が窪み３ｃと前記突出部２ｂ１との係合によりまとめられるため、折り畳まれた補強板原紙３０が不意に広がることがない。なお、横方向に３回以上折り畳む場合は、ジグザグ状に折り畳むのが好ましい。
【００２４】
本発明においては、押え部４ａ１が設けられた保持片４を用いれば更に好ましい。押え部４ａ１とは、図１に例示するように、保持片４に設けられた下向きＵ字状の切り欠きであり、前記補強板３の支持部３ａに支持されたロール製品の芯材を上から押えるための部分である。
このような保持片４は、ロール製品を支持する補強板３の近傍に上方向から配置され、これにより例えば輸送中に縦揺れが生じた場合でも、ロール製品が補強板３から跳ね上がったり、上下に揺動することがない。従って、補強板３が破損するような事故も防ぐことができる。
【００２５】
本発明で用いることができる好ましい保持片４の展開図を図７に示す。この展開図は、図１に示した実施例で使用されている保持片４を展開したものである。
この例において、保持片４は内面板４ａと、外面板４ｂと、これらの間に介設された上面板４ｃからなる。この保持片４は、図１に示すように下向きコ字状に折り曲げられて、補強板３に覆設される。
前記押え部４ａ１は内面板４ａに設けられており、補強板３のすぐ内側でロール製品の芯材を上から押えるように構成されている。外面板４ｂは補強板３の外面側に配置されて、ロール製品に横揺れが生じた場合でも芯材が外装箱２から飛び出さないように構成されている。上面板４ｃは長さが補強板３の厚みとほぼ等しく形成されている。このような内面板４ａ、外面板４ｂ、上面板４ｃからなる保持片４を下向きコ字状に折り曲げると、補強板３に容易に覆設することができ、これにより、前述の内面板４ａと外面板４ｂが補強板３に沿って配置できるようになっている。
【００２６】
なお、本発明においては、図１に示したように、外装箱２のトレイ２ａ内に底板２ｂを配置し、この底板２ｂの短辺側に先端側が細く基端側が太く２段になった突出部２ｂ１を設けるとともに、保持片４の内面板４ａの下辺側には窪み４ａ２を設けるとともに、外面板４ｂの下辺側には窪み４ｂ１を設けることができる。この場合、窪み４ａ２は当該突出部２ｂ１の基端の太い部分と係合し、窪み４ｂ１は当該突出部２ｂ１の先端側の細い部分と係合する。
【００２７】
上述したロール製品用ケースの材質は特に限定されないが、安価且つ軽量で、強度を有する点で段ボール製が好ましく、強化段ボール製がさらに好ましい。
【産業上の利用可能性】
【００２８】
上記したとおり、本発明のロール製品用ケースは、ロール製品を宙吊り状態で保持するための補強板が、接着剤を使うことなく、シート状の部材を折り畳むことにより形成されるので、作業性が良好で、安価でかつ十分な強度を有する。
【符号の説明】
【００２９】
１  ロール製品用ケース
２  外装箱
２ａ  トレイ
２ｂ  底板
２ｂ１  突出部
２ｃ  側板
２ｃ１  長辺
２ｃ２  短辺
２ｃ３  貼り合わせシロ
２ｃ４  窪み
２ｃ５  シャフト導路
２ｄ  蓋
３  補強板
３ａ  支持部
３ｂ  支持部
３ｃ  窪み
３０  補強板原紙
３１  折り線
３１ｈ  横方向折り線
３１ｖ  縦方向折り線
３２  切れ目
３３  区画
４  保持片
４ａ  内面板
４ａ１  押え部
４ａ２  窪み
４ｂ  外面板
４ｂ１  窪み
４ｃ  上面板
【図１】
2016124561.tif 000003
【図２】
2016124561.tif 000004
【図３】
2016124561.tif 000005
【図４】
2016124561.tif 000006
【図５】
2016124561.tif 000007
【図６】
2016124561.tif 000008
【図７】
2016124561.tif 000009